(57)【要約】【課題】  現場で天井高さを容易に変更することのできる浴室ユニット等の箱組み構造を提供する。【解決手段】  防水パン上に立設された複数のポスト２の頂部が天井つなぎ材４で連結され、ポスト２に壁パネル７が固定されるとともに、天井つなぎ材４に天井パネル６が固定される箱組み構造において、天井つなぎ材４には、ポスト２との固定個所が上下方向に２個所以上形成されており、ポスト２に対する天井つなぎ材４の取り付け高さを現場で変更できるように構成されている。【選択図】        図１
2005336789.tif 000002
【特許請求の範囲】
【請求項１】
防水パン上に立設された複数のポストの頂部が天井つなぎ材で連結され、前記ポストに壁パネルが固定されるとともに、前記天井つなぎ材に天井パネルが固定される箱組み構造において、前記天井つなぎ材には、前記ポストとの固定個所が上下方向に２個所以上形成されていることを特徴とする箱組み構造。
【請求項２】
前記天井パネルと前記壁パネル上端との間に間隙を設け、該間隙にカバーを取り付けたことを特徴とする請求項１に記載の箱組み構造。
【請求項３】
前記壁パネルの高さを予め前記ポストより高く設定し、該壁パネルの上端をカットして、該カット高さに対応する位置に天井パネルを設置できるよう前記天井つなぎ材を前記ポストに対して位置決めして固定し、天井高さを変えることができるように構成したことを特徴とする請求項１に記載の箱組み構造。
【発明の詳細な説明】
【技術分野】
【０００１】
本発明は、浴室ユニット等の箱組み構造に関するものである。
【背景技術】
【０００２】
従来、特許文献１に開示されているような、ポストを用いた浴室ユニットの箱組み構造が存在し、この箱組み構造は、図５に斜視図で示すように、防水パン１上に複数のポスト２，２を立設し、この複数のポスト２，２の頂部を天井つなぎ材４，４で連結するものであり、図６の拡大図で示すように、ポスト２の上端に設けられたビス孔２ａ内にビス５を差し込み、天井つなぎ材４に形成されているポスト固定用孔４ａ内にビス５をねじ込んで、ポスト２の頂部に天井つなぎ材４を固定できるものである。
また、天井つなぎ材４には、天井パネル６が固定されるものであり、図７の斜視図で示すように天井パネル６を配設して、天井つなぎ材４の天井固定用孔４ｂに、ワッシャー９を介在させてビス８をねじ込んで、図８の縦断面拡大構成図で示すように、天井パネル６が天井つなぎ材４に固定されるものである。なお、ポスト２には壁パネル７が固定される。
【０００３】
なお、浴室ユニットの天井高さを調整可能な構造として、特許文献２に開示されているような構造があり、特許文献２では、天井部分の周囲に立ち下がり縁を設け、これに外接して上下に摺動でき、しかも、壁部分に設けている上縁部に内接して上下に摺動できる中間角筒体を、天井部分と壁部分との間に配設している。
また、さらに特許文献３に開示されているように、壁パネル上に継ぎ足しパネルを継ぎ足して、浴室内天井空間を高くしたり、または建物の高さに合わせて継ぎ足しパネルを切断して施工する構成が開示されている。
【特許文献１】特開平８−３５２８４号公報
【特許文献２】特開平４−３５０２６９号公報
【特許文献３】特開平１１−７１９２５号公報
【発明の開示】
【発明が解決しようとする課題】
【０００４】
上記従来のような箱組み構造において、天井高さを調整するために、特許文献２または特許文献３に開示されているような構造を採用する場合には、複雑な構造となり、部品点数が増大してしまうという問題点があり、また、特許文献１に開示されている構造では、現場で天井高さを変えることはできないという問題点があった。
【課題を解決するための手段】
【０００５】
本発明は上記従来の問題点に鑑み案出したものであって、コストを増大させることなく現場で容易に天井高さを変えることのできる箱組み構造を提供せんとするものであり、その請求項１は、防水パン上に立設された複数のポストの頂部が天井つなぎ材で連結され、前記ポストに壁パネルが固定されるとともに、前記天井つなぎ材に天井パネルが固定される箱組み構造において、前記天井つなぎ材には、前記ポストとの固定個所が上下方向に２個所以上形成されていることである。
また、請求項２は、前記天井パネルと前記壁パネル上端との間に間隙を設け、該間隙にカバーを取り付けたことである。
また、請求項３は、前記壁パネルの高さを予め前記ポストより高く設定し、該壁パネルの上端をカットして、該カット高さに対応する位置に天井パネルを設置できるよう前記天井つなぎ材を前記ポストに対して位置決めして固定し、天井高さを変えることができるように構成したことである。
【発明の効果】
【０００６】
本発明の箱組み構造は、天井つなぎ材には、ポストとの固定個所が上下方向に２個所以上形成されていることにより、現場で天井つなぎ材をポストの頂部に固定するに際し、天井つなぎ材に上下方向に２個所以上形成されている固定個所の何れかを選択して、ポストに対する天井つなぎ材の高さ位置を容易に調整することができ、その後に、天井つなぎ材に天井パネルを固定することで、現場に対応して天井パネルの高さを容易に変えることができるものとなる。
【０００７】
また、天井パネルと壁パネル上端との間に間隙を設け、間隙にカバーを取り付けたことにより、天井パネルと壁パネル間にカバーを設けることで、天井の意匠を変えることができ、例えばドーム天井風に構築することができるものとなる。
【０００８】
また、壁パネルの高さを予めポストより高く設定し、壁パネルの上端をカットして、カット高さに対応する位置に天井パネルを設置できるよう天井つなぎ材をポストに対して位置決めして固定し、天井高さを変えることができるように構成したことにより、現場で壁パネルの上端をカットして壁パネルの高さを調整し、この壁パネルの上端に位置合わせして天井パネルを固定して、天井高さを現場で変更することができ、部材を増やすことなく天井高さを容易に変更できるものとなる。
【実施例】
【０００９】
以下、本発明の実施例を図面に基づいて説明する。
図１は、第１実施例の浴室ユニットの箱組み構造の要部縦断面拡大構成図を示すものであり、図において、前述した図５に示すように、防水パン１上に立設されたポスト２の上端には、ビス５を介して天井つなぎ材４が取り付け固定されるものであり、本例の天井つなぎ材４は、図２に斜視図で示すように、断面コの字状に形成されて、高さ寸法は２５０mm程度となっており、ポスト２との固定個所が４個所形成されている。
【００１０】
即ち、ビス５をねじ込むためのポスト固定用孔４ａ，４ａ，４ａ，４ａが５０mmピッチ間隔で４個、上下方向に形成されており、さらにその上部に、天井パネル６を固定するための天井固定用孔４ｂが形成されたものとなっている。
従って、現場でこのポスト固定用孔４ａ，４ａ，４ａ，４ａの何れかを選択して、ビス５をねじ込むことにより、現場に対応してポスト２に対する天井つなぎ材４の取り付け高さを調整できるものである。
【００１１】
なお、ポスト２の内側には壁パネル７が固定されるものであり、天井つなぎ材４の上端には、天井固定用孔４ｂにワッシャー９を介在させて、ビス８をねじ込んで天井パネル６が固定されるものである。従って、現場で天井つなぎ材４の取り付け高さを調整することで、天井パネル６の高さ位置が容易に変更可能となる。
【００１２】
なお、さらに本例では、天井パネル６と壁パネル７の上端間の間隙内にカバー１０を嵌め込んで、このカバー１０により天井の意匠を変えることができるように構成されている。
例えば、カバー１０の上部をドーム状に形成しておき、カバー１０を取り付けることでドーム天井風に構築することができるものである。
【００１３】
なお、カバー１０の内側には、上下方向に例えば５０mmピッチ間隔等で補強用のリブ１０ａ，１０ａ，１０ａを一体形成させておき、この何れかのリブ１０ａに沿ってカバー１０を横方向に切断して、カバー１０の高さを適宜調整することができ、天井パネル６と壁パネル７間に嵌め込んで、良好にカバー１０を設置することができるものである。
このように本例では、現場でポスト２に対する天井つなぎ材４の取り付け高さを変更して調節することができ、これにより天井の高さを容易に現場で変更できるものとなる。
【００１４】
次に、図３及び図４では第２実施例を示すものである。
図３に示すように、高さ寸法をポスト２より高く設定した壁パネル７を現場に搬入し、この壁パネル７の上端を現場で適宜カットして、壁パネル７の高さを現場に対応させて調整することができるように構成されており、図３では、壁パネル７を切断することなく、そのまま用いて、壁パネル７の上端に天井パネル６を当接させて設置したものである。
【００１５】
なお、図３における天井つなぎ材４は、図２に示すように、略５０mmピッチ間隔で上下方向に４個のポスト固定用孔４ａ，４ａ，４ａ，４ａが形成されており、図３では、最も下側のポスト固定用孔４ａにビス５をねじ込んで、ポスト２の上端に天井つなぎ材４を取り付け固定したものであり、天井つなぎ材４の上端側の天井固定用孔４ｂにワッシャー９を介在させて、ビス８をねじ込んで天井つなぎ材４に天井パネル６を固定することができるものである。
【００１６】
現場で天井の高さを低くする場合には、図４に示すように、壁パネル７の上端を適宜現場に対応してカットし、壁パネル７の高さ寸法を短くして、壁パネル７の上端の切断面上にコの字状断面の見切材１１を被せて、この見切材１１上に天井パネル６を配設することができるものであり、壁パネル７の上端のカット寸法を現場に対応して適宜調整し、天井パネル６の高さ位置を調整できるものである。
【００１７】
なお、図４の場合は、天井つなぎ材４の４個のポスト固定用孔４ａのうち、上側のポスト固定用孔４ａにビス５をねじ込んで、ポスト２の上端に天井つなぎ材４を取り付け固定することができ、天井つなぎ材４の上端側の天井固定用孔４ｂにビス８を介して天井パネル６を固定できるものである。
【００１８】
このように、図３及び図４の構成では、壁パネル７の高さを予めポスト２より高く設定し、壁パネル７の上端をカットして、カット高さに対応する位置に天井パネル６を設置できるよう、天井つなぎ材４をポスト２に対して位置決めして固定し、天井高さを変えることができ、部材を増やすことなく、現場で天井高さを容易に変更することができるものとなる。
【図面の簡単な説明】
【００１９】
【図１】第１実施例の箱組み構造の要部縦断面拡大構成図である。
【図２】図１の天井つなぎ材の要部斜視構成図である。
【図３】第２実施例を示す箱組み構造の要部縦断面構成図である。
【図４】図３の壁パネルの上端をカットして組み付けた場合の要部縦断面構成図である。
【図５】箱組み構造の要部斜視構成図である。
【図６】箱組み構造を構成するポストと天井つなぎ材の分解拡大斜視構成図である。
【図７】箱組み構造の天井側の斜視構成図である。
【図８】従来の箱組み構造の組付状態の要部縦断面拡大構成図である。
【符号の説明】
【００２０】
１  防水パン
２  ポスト
３  ビス
４  天井つなぎ材
４ａ  ポスト固定用孔
４ｂ  天井固定用孔
５  ビス
６  天井パネル
７  壁パネル
８  ビス
１０  カバー
１０ａ  リブ
１１  見切材
【図１】
2005336789.tif 000003
【図２】
2005336789.tif 000004
【図３】
2005336789.tif 000005
【図４】
2005336789.tif 000006
【図５】
2005336789.tif 000007
【図６】
2005336789.tif 000008
【図７】
2005336789.tif 000009
【図８】
2005336789.tif 000010